(57)【要約】【課題】  従来、カードスロットとコントローラとの間の接続状態を筐体外部から知ることはできなかった。【解決手段】  スイッチ４４による切り換えによって入出力インターフェース“ＳＤＩＯ１”にカードスロット１５が接続されると、カードスロット１５が使用可能となり、無線ユニット４５による無線通信機能が作動できない状態となる。一方、スイッチ４４による切り換えによって入出力インターフェース“ＳＤＩＯ１”に無線ユニット４５が接続されると、無線ユニット４５による無線通信機能が作動可能となり、カードスロット１５が使用できない状態となる。この際、カードアクセスランプ１７が赤色に発光することにより、カードスロット１５が使用できない状態になっていることが報知される。【選択図】  図３
2011009992.tif 000002
【特許請求の範囲】
【請求項１】
所定の規格のカードが着脱自在に装着されるカードスロットと、
所定の機能を有する内部ユニットと、
前記カードスロットに装着される前記カードを入出力インターフェースを介して制御するコントローラと、
前記カードスロットまたは前記内部ユニットのいずれか一方と前記入出力インターフェースとの間の接続を切り換える接続切換手段と、
この接続切換手段によって切り換えられている前記接続の状態を報知する報知手段と
を備えていることを特徴とする撮影装置。
【請求項２】
請求項１に記載の撮影装置において、
前記接続切換手段によって前記内部ユニットが前記入出力インターフェースに接続されていることを警告する警告手段を備えていることを特徴とする撮影装置。
【請求項３】
請求項２に記載の撮影装置において、
前記警告手段は、出音手段による警告音の出音または表示手段による警告表示によって警告を行うことを特徴とする撮影装置。
【請求項４】
請求項３に記載の撮影装置において、
前記表示手段は、前記カードスロットの周囲に設けられた発光ダイオードからなり、
前記警告手段は、前記発光ダイオードの点灯態様を異ならせて警告を行うことを特徴とする撮影装置。
【請求項５】
請求項２から請求項４のいずれか１項に記載の撮影装置において、
前記警告手段は、
前記接続切換手段に対して前記内部ユニットと前記入出力インターフェースとを接続する設定が行われたとき、
または、前記撮影装置への電源供給が開始されたときに前記内部ユニットが前記入出力インターフェースに接続されているとき、
または、前記入出力インターフェースに接続されていない前記カードスロットに対して前記カードを装着する操作が行われたとき、
または、前記入出力インターフェースに接続されていない前記カードスロットに装着された前記カードに対してアクセスする操作が行われたとき
に警告を行うことを特徴とする撮影装置。
【請求項６】
請求項１から請求項５のいずれか１項に記載の撮影装置において、
前記入出力インターフェースと前記カードスロットとの対が複数設けられており、
前記カードが装着されていないカードスロットまたはアクセス先として設定されていないカードスロットを複数の前記カードスロットの中から未使用のカードスロットとして検出する検出手段を備え、
前記接続切換手段は、前記検出手段によって検出された未使用のカードスロットと対の前記入出力インターフェースに前記内部ユニットを接続する切り換えを行うことを特徴とする撮影装置。
【請求項７】
請求項１から請求項６のいずれか１項に記載の撮影装置において、
前記入出力インターフェースと前記カードスロットとの対が複数設けられており、
前記コントローラは、前記接続切換手段によって前記入出力インターフェースとの接続が一のカードスロットから前記内部ユニットに切り換えられると、前記一のカードスロットに装着されたメモリカードに記録する撮影画像データを、予め設定されている他のカードスロットまたはユーザの操作に基づいて選択される他のカードスロットに装着されたメモリカードに記録させることを特徴とする撮影装置。
【請求項８】
請求項７に記載の撮影装置において、
前記カードスロットに装着されたメモリカードに記録された画像データを再生する画像再生手段を備え、
前記接続切換手段は、前記入出力インターフェースとの接続を一のカードスロットから前記内部ユニットに切り換えた後に、前記一のカードスロットに装着されたメモリカードに記録された画像データを前記画像再生手段によって再生させる操作が行われると、前記入出力インターフェースとの接続を前記内部ユニットから前記一のカードスロットに戻すことを特徴とする撮影装置。
【請求項９】
請求項１から請求項８のいずれか１項に記載の撮影装置において、
前記内部ユニットは、外部機器との間で無線により通信を行う機能を有していることを特徴とする撮影装置。
【発明の詳細な説明】
【技術分野】
【０００１】
本発明は、所定の規格のカードが着脱自在に装着されるカードスロットを備えた撮影装置に関するものである。
【背景技術】
【０００２】
従来、このようなカードスロットを備えた装置としては、例えば、特許文献１に開示される情報処理装置がある。この装置には、メモリ機能を有するカードや無線通信機能などの拡張機能を有するカードが着脱自在に装着される２つのカードスロットが設けられている。メモリ機能を有するカードがカードスロットに装着されると、カードが装着されたカードスロットとメモリコントローラとがセレクタによって電気的に接続され、カードに対するデータの読み書きが可能となる。また、拡張機能を有するカードがカードスロットに装着されると、カードが装着されたカードスロットとＩＯコントローラとがセレクタによって電気的に接続され、拡張機能の利用が可能になる。
【先行技術文献】
【特許文献】
【０００３】
【特許文献１】特開２００４−４６４９８号公報
【発明の概要】
【発明が解決しようとする課題】
【０００４】
しかしながら、特許文献１に開示される上記従来の装置では、各カードスロットとメモリコントローラおよびＩＯコントローラとの間の接続状態がセレクタによってどのような状態に切り換えられているか、筐体外部から知ることはできなかった。このため、上記従来の装置で、メモリ機能を有するカードがカードスロットに装着されてカードに対するデータの読み書きが可能な状態になっているのか、あるいは、拡張カードが装着されてＩＯコントローラによる拡張機能が実行されているのかを知るためには、カードスロットに装着されているカードをカードスロットから取り外して直接目視したりすることで、カードの種類を確認するしかなく、手間がかかっていた。
【課題を解決するための手段】
【０００５】
本発明はこのような課題を解決するためになされたもので、
所定の規格のカードが着脱自在に装着されるカードスロットと、
所定の機能を有する内部ユニットと、
カードスロットに装着されるカードを入出力インターフェースを介して制御するコントローラと、
カードスロットまたは内部ユニットのいずれか一方と入出力インターフェースとの間の接続を切り換える接続切換手段と、
この接続切換手段によって切り換えられている接続の状態を報知する報知手段と
を備えて撮影装置を構成した。
【０００６】
この構成によれば、接続切換手段による切り換えによって入出力インターフェースにカードスロットが接続されると、カードスロットが使用可能となり、内部ユニットによる所定の機能が作動できない状態となる。一方、接続切換手段による切り換えによって入出力インターフェースに内部ユニットが接続されると、内部ユニットによる所定の機能が作動可能となり、カードスロットが使用できない状態となる。接続切換手段によって切り換えられるこれらの各状態は、報知手段によって報知される。このため、ユーザは、入出力インターフェースにカードスロットが接続されてカードスロットが使用できる状態になっているのか、あるいは入出力インターフェースに内部ユニットが接続されて内部ユニットによる所定の機能が作動可能な状態になっているのかを、従来の装置のように、カードスロットに装着されているカードを取り外して直接目視したりする手間をかけることなく、報知手段による報知によって直ちに把握できるようになる。これにより、ユーザは、カードスロットに装着されているカードを取り外す時間を無駄にかけることなく、目的とする、カードの使用、または内部ユニットによる所定の機能の作動を速やかに果たすことができる。
【０００７】
また、本発明は、接続切換手段によって内部ユニットが入出力インターフェースに接続されていることを警告する警告手段を備えていることを特徴とする。
【０００８】
この構成によれば、接続切換手段によって内部ユニットが入出力インターフェースに接続されていることが、警告手段によって警告される。このため、ユーザは、この警告により、カードスロットが使用できない状態になっていることを速やかに知ることができ、誤ってカードスロットにカードを装着して無駄な時間を費やすことが確実に防止されるようになる。
【０００９】
また、本発明は、警告手段が、出音手段による警告音の出音または表示手段による警告表示によって警告を行うことを特徴とする。
【００１０】
この構成によれば、接続切換手段によって内部ユニットが入出力インターフェースに接続されていることが、出音手段による警告音の出音または表示手段による警告表示によって警告される。このため、ユーザは、カードスロットが使用できない状態になっていることを、警告音や警告表示によって容易に把握できるようになる。
【００１１】
また、本発明は、
表示手段が、カードスロットの周囲に設けられた発光ダイオードからなり、
警告手段が、発光ダイオードの点灯態様を異ならせて警告を行うことを特徴とする。
【００１２】
この構成によれば、接続切換手段によって内部ユニットが入出力インターフェースに接続されていることが、発光ダイオードの点灯態様の変化によって警告される。このため、ユーザは、カードスロットが使用できない状態になっていることを、発光ダイオードの点灯態様によって容易に把握できるようになる。また、発光ダイオードをカードスロットの周囲に設けられるカードアクセスランプと兼用することで、報知手段を新設する必要がなくなり、撮影装置の製造コストの増加を抑制することができる。
【００１３】
また、本発明は、
警告手段が、
接続切換手段に対して内部ユニットと入出力インターフェースとを接続する設定が行われたとき、
または、撮影装置への電源供給が開始されたときに内部ユニットが入出力インターフェースに接続されているとき、
または、入出力インターフェースに接続されていないカードスロットに対してカードを装着する操作が行われたとき、
または、入出力インターフェースに接続されていないカードスロットに装着されたカードに対してアクセスする操作が行われたとき
に警告を行うことを特徴とする。
【００１４】
この構成によれば、接続切換手段に対する切換設定操作時、電源投入操作時、カード装着時、またはカードに対するアクセス操作時に、警告手段による警告が行われ、ユーザは、これらの時に、カードスロットが使用できない状態になっていることを、カードスロットを使用する前に予め知ることが可能となる。
【００１５】
また、本発明は、
入出力インターフェースとカードスロットとの対が複数設けられており、
カードが装着されていないカードスロットまたはアクセス先として設定されていないカードスロットを複数のカードスロットの中から未使用のカードスロットとして検出する検出手段を備え、
接続切換手段が、検出手段によって検出された未使用のカードスロットと対の入出力インターフェースに内部ユニットを接続する切り換えを行うことを特徴とする。
【００１６】
この構成によれば、検出手段により、カードが装着されていないカードスロットまたはアクセス先として設定されていないカードスロットが未使用のカードスロットとして検出され、接続切換手段により、内部ユニットが、検出された未使用のカードスロットと対の入出力インターフェースに接続される。このため、入出力インターフェースに接続されていた内部ユニットが接続切換手段により切り離されても、内部ユニットは、未使用のカードスロットと対になる入出力インターフェースに接続されるため、内部ユニットによる所定の機能が作動不可能な状態となってしまうことはない。
【００１７】
また、本発明は、
入出力インターフェースとカードスロットとの対が複数設けられており、
コントローラが、接続切換手段によって入出力インターフェースとの接続が一のカードスロットから内部ユニットに切り換えられると、一のカードスロットに装着されたメモリカードに記録する撮影画像データを、予め設定されている他のカードスロットまたはユーザの操作に基づいて選択される他のカードスロットに装着されたメモリカードに記録させることを特徴とする。
【００１８】
この構成によれば、接続切換手段によって入出力インターフェースとの接続が一のカードスロットから内部ユニットに切り換えられると、コントローラにより、一のカードスロットに装着されたメモリカードに記録する撮影画像データが、予め設定されている他のカードスロットに装着されたメモリカード、またはユーザの操作に基づいて選択される他のカードスロットに装着されたメモリカードに記録される。このため、入出力インターフェースとの接続が一のカードスロットから内部ユニットに切り換えられて、一のカードスロットが使用できない状態となっても、撮影画像データは、他のカードスロットに装着されたメモリカードに記録されるようになり、撮影画像データが記録されなくなってしまう事態は回避される。
【００１９】
また、本発明は、
カードスロットに装着されたメモリカードに記録された画像データを再生する画像再生手段を備え、
接続切換手段が、入出力インターフェースとの接続を一のカードスロットから内部ユニットに切り換えた後に、一のカードスロットに装着されたメモリカードに記録された画像データを画像再生手段によって再生させる操作が行われると、入出力インターフェースとの接続を内部ユニットから一のカードスロットに戻すことを特徴とする。
【００２０】
この構成によれば、接続切換手段によって入出力インターフェースとの接続が一のカードスロットから内部ユニットに切り換えられ、一のカードスロットが使用できない状態となっているときに、一のカードスロットに装着されたメモリカードに記録された画像データを画像再生手段によって再生させる操作が行われると、接続切換手段により、入出力インターフェースとの接続が内部ユニットから一のカードスロットに切り換えられる。このため、ユーザは、接続切換手段に対する切換操作を行うことなく、所望の画像データが記録されたメモリカードに対する再生操作を行うだけで、所望の画像データを再生することが可能となり、画像データを再生する際の手間が軽減される。
【００２１】
また、本発明は、
内部ユニットが、外部機器との間で無線により通信を行う機能を有していることを特徴とする。
【００２２】
この構成によれば、接続切換手段による切り換えによって入出力インターフェースと内部ユニットとが接続されると、内部ユニットと外部機器との間で無線による通信が可能な状態となる。
【発明の効果】
【００２３】
本発明による撮影装置によれば、上記のように、ユーザは、カードスロットに装着されているカードを取り外す時間を無駄にかけることなく、目的とする、カードの使用、または内部ユニットによる所定の機能の作動を速やかに果たすことができる。
【図面の簡単な説明】
【００２４】
【図１】本発明の一実施の形態によるデジタルカメラの外観を示す背面図である。
【図２】（ａ）は図１に示すデジタルカメラの上面図、（ｂ）は（ａ）に示すデジタルカメラの上面に設けられた上面表示部を示す図である。
【図３】図１に示すデジタルカメラの内部構成の概略を示すブロック図である。
【図４】本発明の変形例によるデジタルカメラの内部構成の一部の概略を示すブロック図である。
【発明を実施するための形態】
【００２５】
次に、本発明による撮影装置をデジタルカメラに適用した場合における一実施の形態について説明する。
【００２６】
図１は、この一実施の形態によるデジタルカメラ１の外観を示す背面図である。
【００２７】
デジタルカメラ１の本体背面の中央上方には、撮影する被写体が視認される光学ファインダ２が設けられている。光学ファインダ２の上方のペンタ部１Ａには、被写体を照明する閃光装置などを取り付けるためのホットシュー３が設けられている。また、光学ファインダ２の右方には、シャッタースピードや露出補正値の変更などを行うためのコマンドダイアル４が設けられている。また、光学ファインダ２の下方には、ＴＦＴ(Thin Film Transistor)液晶からなる背面モニタ５が設けられている。背面モニタ５は、撮影に関する種々の情報や撮影画像などを表示する。
【００２８】
背面モニタ５の右側には、上下方向および左右方向といった操作方向を検出する方向キーからなるマルチセレクタ６が設けられており、マルチセレクタ６の内側には決定ボタン７が設けられている。マルチセレクタ６は、デジタルカメラ１の各種設定を行うメニュー画面において、種々の設定項目の中から所望の設定項目を選択する際に操作される。また、決定ボタン７は、マルチセレクタ６の操作によって選択された所望の設定項目を決定する際などに操作される。また、マルチセレクタ６の下方には、画像データの削除などの際に操作される削除ボタン８が設けられている。
【００２９】
また、背面モニタ５の左側には、上から順に、メニューボタン９、画像再生ボタン１０、縮小／サムネイルボタン１１、および拡大ボタン１２が設けられている。メニューボタン９は、上述したメニュー画面を呼び出して背面モニタ５に表示させる際に操作される。画像再生ボタン１０は、撮影画像を背面モニタ５に表示させる際に操作される。縮小／サムネイルボタン１１は、再生ボタン１０が操作されて背面モニタ５に表示される撮影画像を縮小表示させたり、撮影画像のサムネイル表示を行う際などに操作される。また、拡大ボタン１２は、背面モニタ５に表示される撮影画像を拡大表示させる際などに操作される。
【００３０】
マルチセレクタ６の右側には、カバー１４が開閉自在に取り付けられているカード収納部１３が設けられている。同図に示す例ではカバー１４は開いた状態になっている。カード収納部１３の内部には、所定の規格のカードが着脱自在に装着される２基のカードスロット１５，１６が設けられている。本実施形態では、ＳＤ(Secure Digital)規格の、データを記録するＳＤメモリカードや、外部機器との間での無線通信機能などを有するＳＤＩＯ(Secure Digital Input Output)カードが着脱自在に装着される。また、カード収納部１３の周囲、本実施形態ではカード収納部１３の下方の各カードスロット１５，１６に対応する位置には、発光ダイオード（ＬＥＤ）からなるカードアクセスランプ１７，１８が設けられている。カードアクセスランプ１７，１８は、カードスロット１５，１６に装着されたカードに対してアクセスがなされると、点灯する。
【００３１】
図２（ａ）は図１に示すデジタルカメラ１の上面図、同図（ｂ）は同図（ａ）に示す上面表示パネル２２を示す図である。なお、同図（ａ）において、図１と同一または相当する部分には同一の符号を付して説明する。
【００３２】
同図（ａ）に示すように、デジタルカメラ１の上面右方には、シャッターボタン２０が設けられている。シャッターボタン２０が半押し操作されると、オートフォーカス(Auto Focus)機能が作動し、全押し操作されると、被写体の撮影が行われる。シャッターボタン２０の周囲には、デジタルカメラ１の電源のオン・オフ操作を行うための電源スイッチ２１が設けられている。また、シャッターボタン２０の手前側には、撮影に関する種々の情報が表示される上面表示パネル２２が設けられている。
【００３３】
同図（ｂ）に示すように、上面表示パネル２２には、シャッタースピードや、絞り値、デジタルカメラ１のバッテリー残量などが表示されると共に、各カードスロット１５，１６へのカードの挿入状況などを示すスロット表示欄２３，２４が表示される。各カードスロット１５，１６にカードが装着されると、装着されたカードスロットに対応するスロット表示欄２３または２４の枠内に数字“１”または“２”が表示される。また、各カードスロット１５，１６からカードが取り外されると、スロット表示欄２３，２４の枠内における数字表示は消えて、表示されなくなる。
【００３４】
図３は、デジタルカメラ１の内部構成の概略を示すブロック図である。なお、同図において、図１，図２と同一または相当する部分には同一の符号を付して説明する。
【００３５】
デジタルカメラ１は、制御部３１を備えている。制御部３１には図示しない不揮発性メモリが接続されており、不揮発性メモリには、制御部３１が種々の制御を行う際に参照される制御プログラムなどが格納されている。制御部３１は、不揮発性メモリに格納されている制御プログラムに従い、バッファメモリであるＳＤＲＡＭ３２を一時記憶作業領域として回路各部の制御を行い、デジタルカメラ１の種々の装置機能を作動させる。
【００３６】
制御部３１には、上述した背面モニタ５や上面表示パネル２２の他、各種ボタン４１やインターフェース回路４２が接続されている。各種ボタン４１は、上述したマルチセレクタ６や各ボタン７〜１２，２０，スイッチ２１などで構成される。また、インターフェース回路４２は、ケーブルでＵＳＢ(Universal Serial Bus)接続などされた外部機器との間で通信を行う回路である。
【００３７】
被写体光は、絞り３３，シャッター３４および撮影レンズ３５を介してデジタルカメラ１内に取り込まれ、撮像素子３６の撮像面上に結像する。制御部３１にはＡＦ駆動部３７が接続されており、オートフォーカス機能の作動時には、ＡＦ駆動部３７により、撮像素子３６の撮像面に結像される被写体像のピントが合う合焦位置に撮影レンズ３５が移動させられる。撮像素子３６は、ＡＦＥ(Analog Front End)回路およびＡ／Ｄ(Analog/Digital)回路を有しており、撮像面上に結像した被写体像の情報は、これら各回路で処理されて、デジタルの撮像信号として出力される。ＤＦＥ(Digital Front End)回路３８は、デジタル画像処理ユニットを構成しており、撮像素子３６から出力されたデジタルの撮像信号に対して、ホワイトバランス処理やガンマ補正などの画像処理を行い、撮影された画像の画像データを生成する。生成された画像データは、制御部３１により圧縮処理が施される。圧縮処理では、画像データは、例えば、ＲＡＷデータからＪＰＥＧ(Joint Photographic Experts Group)データなどへ変換される。ＤＦＥ回路３８によって生成された画像データは、ＳＤＲＡＭ３２に一時的に記憶されると共に、カードスロット１５または１６に装着されたＳＤメモリカード３９に記録される。
【００３８】
画像データのＳＤメモリカード３９への記録、およびＳＤメモリカード３９からの画像データの読み出しは、制御部３１に接続されたＳＤコントローラ４３によって行われる。ＳＤコントローラ４３は、２つの入出力インターフェース“ＳＤＩＯ１”および“ＳＤＩＯ２”を有し、入出力インターフェース“ＳＤＩＯ１”はカードスロット１５、入出力インターフェース“ＳＤＩＯ２”はカードスロット１６と対になって設けられている。各カードスロット１５，１６に装着されるカードと各入出力インターフェース“ＳＤＩＯ１”，“ＳＤＩＯ２”との間では、シリアル転送によるデータの送受信が行われる。ＳＤコントローラ４３の内部回路および上記各入出力インターフェース“ＳＤＩＯ１”および“ＳＤＩＯ２”は、１チップで構成されている。ＳＤコントローラ４３は、カードスロット１５，１６に装着されるカードを入出力インターフェース“ＳＤＩＯ１”および“ＳＤＩＯ２”を介して制御するコントローラを構成している。
【００３９】
ＳＤコントローラ４３による画像データのＳＤメモリカード３９への記録は、メニュー画面においてユーザにより予め選択された記録モードに基づいて行われる。本実施形態における記録モードには、順次記録モード、バックアップ記録モード、および分割記録モードがある。順次記録モードが選択されている場合、画像データは、最初、一方のカードスロット１５に装着されたＳＤメモリカード３９に記録されるが、このＳＤメモリカード３９の記憶残容量が不足すると、他方のカードスロット１６に装着されたＳＤメモリカード３９に順次切り換えられて記録される。また、バックアップ記録モードが選択されている場合、画像データは、各カードスロット１５，１６に装着された個々のＳＤメモリカード３９に同じ様に記録される。また、分割記録モードが選択されている場合、画像データは、ＲＡＷ形式やＪＰＥＧ形式といった画像データの圧縮形式や、静止画や動画といったデータの種類に応じて、各カードスロット１５，１６に装着された各ＳＤメモリカード３９に、振り分けて記録される。
【００４０】
ＳＤメモリカード３９に記録された画像データは、上述した画像再生ボタン１０が操作されることで、ＳＤコントローラ４３の制御の下、制御部３１によって背面モニタ５に表示される。画像再生ボタン１０、ＳＤコントローラ４３、および制御部３１は、カードスロット１５，１６に装着されたメモリカード３９に記録された画像データを再生する画像再生手段を構成している。
【００４１】
また、入出力インターフェース“ＳＤＩＯ１”およびカードスロット１５間にはスイッチ４４が設けられている。スイッチ４４は、制御部３１の制御に基づいて、無線ユニット４５またはカードスロット１５のいずれか一方と、ＳＤコントローラ４３の入出力インターフェース“ＳＤＩＯ１”との間の接続を切り換える接続切換手段を構成している。無線ユニット４５は、外部機器との間で無線により通信を行う無線ＬＡＮ（ローカルエリアネットワーク）機能を所定の機能として有する内部ユニットを構成しており、ＩＥＥＥ802.11シリーズの通信規格に基づいて外部機器と接続される。スイッチ４４による上記の切り換えは、メニューボタン９の操作によって背面モニタ５に表示される切換設定画面において、ユーザによって、カードスロット１５または無線ユニット４５のいずれか一方が選択されることにより、行われる。
【００４２】
本実施形態では、上述した順次記録モードにおいて、画像データを当初記録するカードスロットがカードスロット１５に設定されている場合、スイッチ４４によって入出力インターフェース“ＳＤＩＯ１”との接続が一のカードスロット１５から無線ユニット４５に切り換えられると、一のカードスロット１５に装着されたＳＤメモリカード３９に記録する撮影画像データは、ＳＤコントローラ４３の制御により、他のカードスロット１６に装着されたＳＤメモリカード３９に記録される。また、上述した分割記録モードにおいて、ＲＡＷ形式の画像データを記録するカードスロットがカードスロット１５、ＪＰＥＧ形式の画像データを記録するカードスロットがカードスロット１６に設定されている場合、スイッチ４４によって入出力インターフェース“ＳＤＩＯ１”との接続がカードスロット１５から無線ユニット４５に切り換えられると、カードスロット１５に装着されたＳＤメモリカード３９へのＲＡＷ形式の撮影画像データの記録は行われなくなり、カードスロット１６に装着されたＳＤメモリカード３９へのＪＰＥＧ形式の撮影画像データの記録だけが継続して行われる。
【００４３】
また、スイッチ４４は、入出力インターフェース“ＳＤＩＯ１”との接続を一のカードスロット１５から無線ユニット４５に切り換えた後に、一のカードスロット１５に装着されたメモリカード３９に記録された画像データを画像再生ボタン１０によって再生させる操作が行われると、入出力インターフェース“ＳＤＩＯ１”との接続を無線ユニット４５から一のカードスロット１５に戻す切り換え動作を行う。
【００４４】
また、ＳＤコントローラ４３には、上述したカードアクセスランプ１７，１８が接続されている。カードアクセスランプ１７は、赤色および緑色の２色に発光するＬＥＤからなり、カードアクセスランプ１８は、緑色に発光するＬＥＤからなる。スイッチ４４の切換動作により、入出力インターフェース“ＳＤＩＯ１”に無線ユニット４５が接続されて、カードスロット１５の使用ができない状態になると、制御部３１の制御に基づいて、カードアクセスランプ１７は赤色に発光する。また、入出力インターフェース“ＳＤＩＯ１”にカードスロット１５が接続されて、カードスロット１５に装着されたＳＤメモリカード３９に対するアクセスが可能な状態になると、制御部３１の制御に基づいて、カードアクセスランプ１７は緑色に発光する。また、カードアクセスランプ１７は、カードスロット１５に装着されたＳＤメモリカード３９に対してデータのアクセスが行われると、点滅する。一方、カードスロット１６の使用が可能な状態では、制御部３１の制御に基づいて、カードアクセスランプ１８は緑色に発光する。また、カードアクセスランプ１８は、カードスロット１６に装着されたＳＤメモリカード３９に対してデータのアクセスが行われると、点滅する。
【００４５】
カードアクセスランプ１７および制御部３１は、スイッチ４４によって切り換えられている接続の状態を報知する報知手段を構成している。また、制御部３１は、スイッチ４４によって無線ユニット４５が入出力インターフェース“ＳＤＩＯ１”に接続されていることを、表示手段を構成するカードアクセスランプ１７の警告表示によって警告する警告手段を構成している。本実施形態では、警告手段は、スイッチ４４によって無線ユニット４５が入出力インターフェース“ＳＤＩＯ１”に接続されている場合、カードアクセスランプ１７を上記のように赤色に発光して、カードスロット１５に装着されたＳＤメモリカード３９に対するアクセスが可能な緑色の発光と点灯態様を異ならせて、警告を行う。
【００４６】
また、警告手段は、スイッチ４４に対して無線ユニット４５と入出力インターフェース“ＳＤＩＯ１”とを接続する設定がメニュー画面で行われたとき、または、電源スイッチ２１に対する操作によってデジタルカメラ１への電源供給が開始されたときに無線ユニット４５が入出力インターフェース“ＳＤＩＯ１”に接続されているとき、または、入出力インターフェース“ＳＤＩＯ１”に接続されていないカードスロット１５に対してカードを装着する操作が行われたとき、または、入出力インターフェース“ＳＤＩＯ１”に接続されていないカードスロット１５に装着されたカードに対してアクセスする操作が行われたときなどに、カードアクセスランプ１７を赤色に発光させて警告を行う。
【００４７】
このような構成において、スイッチ４４の切り換えにより、無線ユニット４５と入出力インターフェース“ＳＤＩＯ１”とが接続されると、無線ユニット４５の無線通信機能が作動可能となり、外部機器との間でのデータの送受信が行えるようになる。しかし、カードスロット１５は使用できない状態となり、カードスロット１５に装着されたＳＤメモリカード３９に対するアクセスは不可能となる。一方、スイッチ４４の切り換えにより、カードスロット１５と入出力インターフェース“ＳＤＩＯ１”とが接続されると、無線ユニット４５の無線通信機能が作動できない状態となり、外部機器との間でのデータの送受信が行えないようになる。しかし、カードスロット１５は使用できる状態となり、カードスロット１５に装着されたＳＤメモリカード３９に対するアクセスは可能となる。スイッチ４４によって切り換えられるこれらの各状態は、上述したように、カードアクセスランプ１７の赤色または緑色の点灯によって報知される。
【００４８】
このため、本実施形態によるデジタルカメラ１によれば、ユーザは、入出力インターフェース“ＳＤＩＯ１”にカードスロット１５が接続されてカードスロット１５が使用できる状態になっているのか、あるいは入出力インターフェース“ＳＤＩＯ１”に無線ユニット４５が接続されて無線ユニット４５による無線通信機能が作動可能な状態になっているのかを、従来の装置のように、カードスロット１５に装着されているカードを取り外して直接目視したりする手間をかけることなく、カードアクセスランプ１７による報知によって直ちに把握できるようになる。これにより、ユーザは、カードスロット１５に装着されているカードを取り外す時間を無駄にかけることなく、目的とする、ＳＤメモリカード３９の使用、または無線ユニット４５による無線通信機能の作動を速やかに果たすことができる。
【００４９】
また、本実施形態では、スイッチ４４によって無線ユニット４５が入出力インターフェース“ＳＤＩＯ１”に接続されていることが、カードアクセスランプ１７が赤色に発光することによって警告表示される。このため、ユーザは、この警告表示により、カードスロット１５が使用できない状態になっていることを速やかに容易に知ることができ、誤ってカードスロット１５にカードを装着して無駄な時間を費やすことが確実に防止されるようになる。
【００５０】
また、本実施形態では、スイッチ４４によって無線ユニット４５が入出力インターフェース“ＳＤＩＯ１”に接続されていることが、消灯状態から赤色の発光状態、または緑色の発光状態から赤色の発光状態といったカードアクセスランプ１７の点灯態様の変化によって警告される。このため、ユーザは、カードスロット１５が使用できない状態になっていることを、カードアクセスランプ１７の点灯態様によって容易に把握できるようになる。また、ＬＥＤをカードスロット１５の周囲に設けられるカードアクセスランプ１７と兼用することで、報知手段を新設する必要がなくなり、デジタルカメラ１の製造コストの増加を抑制することができる。
【００５１】
また、本実施形態では、メニュー画面において行われるスイッチ４４に対する切換設定操作時、電源スイッチ２１による電源投入操作時、カードスロット１５へのカード装着時、またはカードスロット１５に装着されたカードに対するアクセス操作時に、カードアクセスランプ１７による警告が行われ、ユーザは、これらの時に、カードスロット１５が使用できない状態になっていることを、カードスロット１５を使用する前に予め知ることが可能となる。
【００５２】
また、本実施形態では、スイッチ４４によって入出力インターフェース“ＳＤＩＯ１”との接続が一のカードスロット１５から無線ユニット４５に切り換えられると、ＳＤコントローラ４３により、一のカードスロット１５に装着されたメモリカード１５に記録する撮影画像データが、他のカードスロット１６に装着されたメモリカード３９に記録される。このため、入出力インターフェース“ＳＤＩＯ１”との接続が一のカードスロット１５から無線ユニット４５に切り換えられて、一のカードスロット１５が使用できない状態となっても、画像データは、他のカードスロット１６に装着されたＳＤメモリカード３９に記録されるようになり、画像データが記録されなくなってしまう事態は回避される。
【００５３】
また、本実施形態では、スイッチ４４によって入出力インターフェース“ＳＤＩＯ１”との接続が一のカードスロット１５から無線ユニット４５に切り換えられ、一のカードスロット１５が使用できない状態となっているときに、一のカードスロット１５に装着されたＳＤメモリカード３９に記録された画像データを画像再生ボタン１０によって再生させる操作が行われると、スイッチ４４により、入出力インターフェース“ＳＤＩＯ１”との接続が無線ユニット４５から一のカードスロット１５に切り換えられる。このため、ユーザは、スイッチ４４に対する切換操作を行うことなく、所望の画像データが記録されたＳＤメモリカード３９に対する再生操作を行うだけで、所望の画像データを再生することが可能となり、画像データを再生する際の手間が軽減される。
【００５４】
なお、上記実施形態では、警告手段による警告が、カードアクセスランプ１７が赤色に発光することで行われる場合を説明したが、本発明はこれに限られるものではなく、警告手段による警告態様は適宜変更可能である。例えば、上述した上面表示パネル２２におけるスロット表示欄２３（図２（ｂ）参照）の表示態様を異ならせることで、警告手段による警告が行われるようにしてもよい。例えば、スイッチ４４の切り換えによってカードスロット１５が使用できない状態になっていることを、スロット表示欄２３を点滅表示させたり、「×」の記号を重ねて表示させることで、警告を行う。また、警告手段が、背面モニタ５などのカードアクセスランプ１７以外の表示手段や、スピーカなどの出音手段からなり、背面モニタ５における文字や画像による警告表示や、スピーカによる警告音の出音などによって警告を行う構成とすることも可能である。
【００５５】
また、上記実施形態では、カードアクセスランプ１７が、赤色に発光して点灯態様を異ならせることにより、スイッチ４４によって無線ユニット４５が入出力インターフェース“ＳＤＩＯ１”に接続されていることが警告される場合を説明したが、本発明はこれに限られるものではない。カードアクセスランプ１７が警告を行う際の点灯態様は適宜変更可能である。例えば、カードアクセスランプ１７が、赤色や緑色以外の他の色で発光したり、点滅発光したり、点滅発光の点滅周期を変化させたりすることで、警告が行われるようにすることも可能である。
【００５６】
また、上記実施形態では、カードアクセスランプ１７が、赤色および緑色の２色に発光する１個の多色発光ダイオードからなる場合を説明したが、本発明はこれに限られるものではない。カードアクセスランプ１７は、互いに異なる色で発光する複数のＬＥＤが並列に接続された構成であっても構わない。
【００５７】
また、上記実施形態では、スイッチ４４に対する切換設定操作時、電源スイッチ２１による電源投入操作時、カードスロット１５へのカード装着時、またはカードスロット１５に装着されたカードに対するアクセス操作時に、カードアクセスランプ１７による警告が行われる場合を説明した。しかしながら、カードアクセスランプ１７による警告のタイミングは、これら各操作時等に限定されるものではなく、適宜変更可能である。
【００５８】
また、上記実施形態では、無線ユニット４５が入出力インターフェース“ＳＤＩＯ１”だけに接続される場合を説明したが、本発明はこれに限られるものではない。例えば、図４に示すように、無線ユニット４５が接続切換回路４６を介して入出力インターフェース“ＳＤＩＯ１”，“ＳＤＩＯ２”のいずれにも接続される構成とすることも可能である。なお、同図に示される部分以外の構成については、上記実施形態と同一であり、図示は省略してある。また、同図において図３と同一または相当する部分は同一の符号を付して説明する。
【００５９】
接続切換回路４６は、制御部３１によって切り換えられる２つのスイッチ４７，４８を有している。スイッチ４７は、カードスロット１５または無線ユニット４５のいずれか一方と、入出力インターフェース“ＳＤＩＯ１”との間の接続の切り換えを行う。また、スイッチ４８は、カードスロット１６または無線ユニット４５のいずれか一方と、入出力インターフェース“ＳＤＩＯ２”との間の接続の切り換えを行う。本構成においては、入出力インターフェース“ＳＤＩＯ１”とカードスロット１５、および、入出力インターフェース“ＳＤＩＯ２”とカードスロット１６とが、それぞれ対になっている。本構成において、接続切換回路４６は、カードスロット１５または無線ユニット４５のいずれか一方と入出力インターフェース“ＳＤＩＯ１”との間の接続、およびカードスロット１６または無線ユニット４５のいずれか一方と入出力インターフェース“ＳＤＩＯ２”との間の接続を切り換える接続切換手段を構成している。
【００６０】
上記の構成において、ＳＤメモリカード３９が装着されていないカードスロットを複数のカードスロット１５，１６の中から未使用のカードスロットとして検出する検出手段を、例えば、各カードスロット１５，１６の内部に備える。また、アクセス先として設定されていないカードスロットを複数のカードスロット１５，１６の中から未使用のカードスロットとして検出する検出手段を制御部３１として構成する。検出手段からの未使用信号を受信した制御部３１の制御により、接続切換回路４６は、検出手段によって検出された未使用のカードスロット１５または１６と対の入出力インターフェース“ＳＤＩＯ１”または“ＳＤＩＯ２”に無線ユニット４５を接続する切り換えを各スイッチ４７，４８に対して行う。
【００６１】
上記構成によれば、検出手段により、ＳＤメモリカード３９が装着されていない未使用のカードスロット、またはアクセス先として設定されていない未使用のカードスロットが例えばカードスロット１５として検出された場合、接続切換回路４６により、検出された未使用のカードスロット１５と対の入出力インターフェース“ＳＤＩＯ１”に、無線ユニット４５が図示するように接続される。このため、入出力インターフェース“ＳＤＩＯ２”に接続されていた無線ユニット４５がスイッチ４８により切り離されても、無線ユニット４５は、未使用のカードスロット１５と対になる入出力インターフェース“ＳＤＩＯ２”に接続されるため、無線ユニット４５による無線通信機能が作動不可能な状態となってしまうことはない。
【００６２】
また、上記実施形態では、内部ユニットが、外部機器との間で無線により通信を行う機能を有する無線ユニット４５からなる場合を説明した。しかしながら、内部ユニットは、例えば、赤外線通信機能により外部機器との間でデータの送受信を行うモジュールや、ＧＰＳ（全地球測位システム）機能により撮影位置を測位するモジュール、テレビ放送やラジオ放送などを受信する受信モジュールなどであっても構わない。
【００６３】
また、上記実施形態では、カードアクセスランプ１７，１８がカード収納部１３の下方に設けられている場合を説明した。しかしながら、カードアクセスランプ１７、１８の配置箇所は各カードスロット１５，１６の周囲であればよく、適宜変更可能である。例えば、カード収納部１３内部の、各カードスロット１５，１６の周囲に設けてもよい。この場合、カードアクセスランプ１７，１８の発光は、カバー１４が開いているときにのみ行われるように行われるようにしてもよい。
【００６４】
また、上記実施形態では、所定の規格のカードがＳＤカードである場合を説明したが、本発明はこれに限られるものではなく、他の規格に基づくカードが装着されるカードスロットを備えた構成としてもよい。また、これらの異なる規格に基づく各カードが各カードスロットに同時に装着される構成とすることも可能である。
【００６５】
また、上記実施形態では、カードスロットと入出力インターフェースとの対が複数設けられている場合を説明したが、本発明はこれに限られるものではない。例えば、カードスロット１５と入出力インターフェース“ＳＤＩＯ１”との対が１つだけ設けられた構成としてもよい。この構成によっても、上記実施形態と同様、ユーザは、入出力インターフェース“ＳＤＩＯ１”にカードスロット１５が接続されてカードスロット１５が使用できる状態になっているのか、あるいは入出力インターフェース“ＳＤＩＯ１”に無線ユニット４５が接続されて無線ユニット４５による無線通信機能が作動可能な状態になっているのかを、従来の装置のように、カードスロット１５に装着されているカードを取り外して直接目視したりする手間をかけることなく、カードアクセスランプ１７による報知によって直ちに把握できるようになる。また、この場合、接続切換手段によってカードスロットから無線ユニット４５に接続が切り換えられると、カードスロットは使用できない状態となり、カードスロットに装着されたＳＤメモリカード３９に画像データが記録されなくなるため、シャッター３４の開閉動作が行われないようにして、誤って撮影が行われないようにしてもよい。
【００６６】
また、カードスロットと入出力インターフェースとの対が３つ以上設けられた構成とすることも可能である。この場合、ＳＤコントローラ４３が、接続切換手段によって入出力インターフェース“ＳＤＩＯ”との接続が一のカードスロットから無線ユニット４５に切り換えられると、一のカードスロットに装着されたＳＤメモリカード３９に記録する撮影画像データを、残りの２つ以上のカードスロットのうちの、予め設定されている他のカードスロット、またはユーザの操作に基づいて選択される他のカードスロットに装着されたＳＤメモリカード３９に記録させる構成とすることができる。
【００６７】
上記の構成によれば、接続切換手段によって入出力インターフェースとの接続が一のカードスロットから無線ユニット４５に切り換えられると、ＳＤコントローラ４３により、一のカードスロットに装着されたＳＤメモリカード３９に記録する撮影画像データが、予め設定されている他のカードスロットに装着されたＳＤメモリカード３９、またはユーザの操作に基づいて選択される他のカードスロットに装着されたＳＤメモリカード３９に記録される。このため、入出力インターフェースとの接続が一のカードスロットから無線ユニット４５に切り換えられて、一のカードスロットが使用できない状態となっても、撮影画像データは、他のカードスロットに装着されたＳＤメモリカード３９に記録されるようになり、撮影画像データが記録されなくなってしまう事態は回避される。
【産業上の利用可能性】
【００６８】
上記実施形態においては、本発明による撮影装置をデジタルカメラに適用した場合について説明したが、所定の規格のカードが着脱自在に装着されるカードスロットを備えたビデオカメラやカメラ機能付き携帯電話機などの種々の撮影装置に本発明を適用することも可能である。このような撮影装置に本発明を適用した場合においても、上記実施形態と同様の作用効果が奏される。
【符号の説明】
【００６９】
１…デジタルカメラ
５…背面モニタ
６…マルチセレクタ
７…決定ボタン
９…メニューボタン
１０…画像再生ボタン
１３…カード収納部
１４…カバー
１５，１６…カードスロット
１７，１８…カードアクセスランプ
２０…シャッターボタン
２１…電源スイッチ
２２…上面表示パネル
３１…制御部
３９…ＳＤメモリカード
４３…ＳＤコントローラ
４４，４７，４８…スイッチ
４５…無線ユニット
４６…接続切換回路
【図１】
2011009992.tif 000003
【図２】
2011009992.tif 000004
【図３】
2011009992.tif 000005
【図４】
2011009992.tif 000006